(57)【要約】  照明機器（１０），リモート制御装置（３０），中央制御装置（２０）の装置において、リモート制御装置により制御される特定の照明機器を、ユーザが送信した選択コマンド（４２，４３）により選択することができる。中央制御装置が選択コマンドを受信したとき（４４）、中央制御装置は選択シーケンスを実行し、この間、中央制御装置は、照明機器の出力を一次的に変更させるように（４５，４６，４７）、ある順又は他の順で照明機器を制御する。特定の照明機器に向けられた（４１）リモート制御装置が、そのような出力変更を検出したとき（５０）、リモート制御装置は、そのようなイベントを表すデータを中央制御装置に送信する。中央制御装置がそのようなイベントデータを受信したとき（５２）、中央制御装置は、この特定の照明機器のその後の制御（５４）のためにリモート制御装置が向けられた特定の照明機器を決定する。【選択図】図１
2009505346.tif 000002
【特許請求の範囲】
【請求項１】
複数の照明機器と、中央制御装置と、リモート制御装置とを備えた照明装置で特定の照明機器を制御する方法であって、
リモート制御装置が前記特定の照明機器により供給される出力を検出可能なように、リモート制御装置を特定の照明機器に向けるステップと、
前記リモート制御装置が照明機器からの出力の変更を検出したとき、リモート制御装置により照明機器の変更出力データを送信するステップと、
前記中央制御装置が照明機器の変更出力データを受信したとき、中央制御装置により作動を決定するデータを送信するステップと、
前記特定の照明機器が作動を決定するデータを受信したとき、特定の照明機器の状態を変更するステップと、を備え、
ユーザが、特定の照明機器を制御したいときリモート制御装置により選択コマンドを送信し、
中央制御装置が、前記選択コマンドを受信したとき選択シーケンスに入り、選択シーケンス中、前記中央制御装置が、順番に選択した照明機器に対して、一時的に照明機器の出力を変更させるための作動を決定するデータを送信していき、中央制御装置が、選択シーケンス中、その後に前記特定の照明機器を制御するために受信した、その照明機器の変更出力データから、特定の照明機器を決定することを特徴とする方法。
【請求項２】
選択シーケンスは、バイナリタイプであり、シーケンスの実行中、照明機器の異なる組合せを別の時間には選択しないように選択し、中央制御装置が、選択シーケンス中、複数の異なった時間に受信した照明機器の変更出力データから特定の照明機器を決定することを特徴とする請求項１に記載の方法。
【請求項３】
特定の照明機器が選択シーケンスで決定された場合、中央制御装置は、リモート制御装置から受信した、特定の照明機器を制御してその通常の作動を変更させるための通常作動変更コマンドを実行することを特徴とする請求項１又は２に記載の方法。
【請求項４】
リモート制御装置は、通常作動変更コマンドを選択コマンドと共に送信することを特徴とする請求項３に記載の方法。
【請求項５】
リモート制御装置により検出される照明機器からの出力は、照明機器のランプからの光出力であることを特徴とする請求項１乃至４のいずれか１項に記載の方法。
【請求項６】
リモート制御装置により検出される照明機器からの出力は、照明機器の信号部材からの出力であることを特徴とする請求項１乃至５のいずれか１項に記載の方法。
【請求項７】
複数の照明機器と、中央制御装置と、リモート制御装置とを備え、
リモート制御装置が、特定の照明機器により供給される出力を検出するためのセンサと、前記出力の変更に関するデータを送信するためのユーザ操作可能手段とを有し、
照明機器の変更出力データを受信したとき、前記中央制御装置が作動を決定するデータを送信可能であり、
前記特定の照明機器が作動を決定するデータを受信したとき状態を変更可能である照明装置であって、
リモート制御装置が、ユーザ操作可能手段の操作により選択コマンドを送信するのに適しており、
中央制御装置が、前記選択コマンドを受信したとき選択シーケンスを実行するのに適しており、選択シーケンス中、前記中央制御装置が、順番に選択した照明機器に対して、一時的に照明機器の出力を変更させるための作動を決定するデータを送信していき、中央制御装置が、選択シーケンス中、その後に前記特定の照明機器を制御するために受信した、照明機器の変更出力データから特定の照明機器を決定するのに適していることを特徴とする照明装置。
【請求項８】
複数の照明機器と、中央制御装置と、リモート制御装置とを備えた照明装置における照明機器であって、
リモート制御装置が、特定の照明機器により供給される出力を検出するためのセンサと、前記出力の変更に関するデータを送信するためのユーザ操作可能手段とを有し、
照明機器の変更出力データを受信したとき、前記中央制御装置が作動を決定するデータを送信可能であり、
前記特定の照明機器が作動を決定するデータを受信したとき状態を変更可能である照明装置における照明機器であって、
ランプと、
リモート制御装置により検出される出力を供給し、且つ、中央制御装置から作動を決定するデータを受信したときに、その出力を変更するように構成された信号部材と、を備えたことを特徴とする照明機器。
【請求項９】
照明装置のリモート制御装置であって、
照明装置が、さらに複数の照明機器と、中央制御装置とを備え、
リモート制御装置が、特定の照明機器により供給される出力を検出するためのセンサと、前記出力の変更に関するデータを送信するためのユーザ操作可能手段とを有し、
照明機器の変更出力データを受信したとき、前記中央制御装置が作動を決定するデータを送信可能であり、
前記特定の照明機器が作動を決定するデータを受信したとき状態を変更可能である照明装置におけるリモート制御装置であって、
ユーザ操作可能手段が、中央制御装置に選択コマンドを送信するのに適していることを特徴とするリモート制御装置。
【請求項１０】
照明装置の中央制御装置であって、
照明装置が、さらに複数の照明機器と、リモート制御装置とを備え、
リモート制御装置が、特定の照明機器により供給される出力を検出するためのセンサと、前記出力の変更に関するデータを送信するためのユーザ操作可能手段とを有し、
照明機器の変更出力データを受信したとき、前記中央制御装置が作動を決定するデータを送信可能であり、
前記特定の照明機器が作動を決定するデータを受信したとき状態を変更可能である照明装置における中央制御装置であって、
リモート制御装置から選択コマンドを受信したとき選択シーケンスを実行するのに適しており、選択シーケンス中、順番に選択した照明機器に対して、一時的に照明機器の出力を変更させるための作動を決定するデータを送信していき、選択シーケンス中、その後に前記特定の照明機器を制御するために受信した、照明機器の変更出力データから特定の照明機器を決定するのに適していることを特徴とする中央制御装置。
【発明の詳細な説明】
【技術分野】
【０００１】
本発明は、請求項１の前提部分に記載の照明機器を有する装置における特定の照明機器の制御方法に関する。
【背景技術】
【０００２】
米国特許公開第２００４／００３２２２６号公報は、照明機器のような複数の機器の自動設定のための方法及びシステムを開示している。このシステムは、照明機器から情報を受取るリモートユニットを備えており、この情報は、その照明機器を固有に識別するものである。このシステムの中央コントローラは、その照明機器にアドレスを設定することができる。このシステムの通信リンクは、前記固有の情報をコントローラに送信することを意図されている。前記設定を開始するため、中央コントローラは、複数の照明機器をプログラムモードにし、これにより、全ての照明機器がそれら固有のハードウェアシリアル番号を、供給する光出力をそれぞれのシリアル番号で変調することにより同時に送信する。リモートユニットは、特定の装置から変調された光出力を受取るように、この照明機器に向けられる。リモートユニットは、受信した変調光により供給されたシリアル番号を送信する。中央コントローラがシリアル番号を受取ったとき、中央コントローラは、システムアドレスをそのシリアル番号に関連付け、前記ハードウェアシリアル番号を有する照明機器にシステムアドレスを送信する。照明機器は、受信したシステムアドレスを格納する。このシステムの通常作動中、すなわち設定モードでないとき、照明機器は、それらのシステムアドレスによりアドレス指定されているならば、中央コントローラからのコマンドに応答する。
【０００３】
従来技術のシステムのリモートユニットは、このシステムの通常作動中、特定の照明機器を制御するコマンドを送信するのに適していない。照明機器が設定モードで作動しない場合、照明装置はいかなる情報で変調された出力も供給しない。
【０００４】
本発明の目的は、システムが設定された後、特定の照明機器を識別する識別子を特定の照明システムから取得する必要なしに、ユーザが特定の照明機器を選択及び制御することができるように、従来技術の方法及びシステムを変更することである。
【発明の開示】
【０００５】
本発明の上記目的は、請求項１に規定された方法を提供することにより達成される。
【０００６】
前記方法は、照明機器の識別子を取得し、保持し、送信する必要なしに、その装置のすべての照明機器を選択的に制御するためのリモート制御装置を使用する可能性を与える。
【０００７】
また、前記方法によれば、本発明の目的は、それぞれ請求項７，８，９及び１０で規定されるような、照明装置，照明機器，リモート制御装置及び中央制御装置を提供することにより達成される。
【０００８】
本発明のこれらの及び他の特徴は、明らかであり、また、以下に記載の実施形態を参照して明らかとなるであろう。
【発明を実施するための最良の形態】
【０００９】
図１に示した照明装置は、複数の照明機器１０と、中央制御装置２０と、リモート制御装置３０とを備えている。
【００１０】
複数の照明機器１０は、同一である必要はない。それらは、ガス放電ランプ，ＬＥＤランプ又は白熱ランプのような異なるタイプのランプ１２を収納していてもよい。また、照明機器１０は、ＬＥＤ及び音源のような信号部材１４を備えていてもよい。図面の簡単のため、図１での信号部材１４はＬＥＤとして示されている。
【００１１】
点灯したとき、ランプ１２は、矢印１６（１６ａ及び１６ｂ）で示されるような光を出力してもよい。ランプ１２からの連続的な光出力が、実線矢印１６ａで示されている。ランプ１２からの変調された、あるいは不連続的な光出力が点線矢印１６ｂで示されている。ＬＥＤ１４からの出力がないか、検出できない出力は、示されていない。ＬＥＤ１４からの検出可能な出力、あるいは変調され又は不連続である出力は、点線矢印１８で示されている。
【００１２】
中央制御装置２０は、通信チャンネル２２を通して、各照明機器１０（又は、一度の１つの照明機器群）と選択的に通信することができる。この通信チャンネル２２は、例えば、無線接続，照明機器１０のための本線電圧の変調，又は特殊なワイヤデータリンクのような、任意のタイプのものであってよい。中央制御装置２０は、通信チャンネル２２を通して、照明機器の状態、例えばそれらのランプ１２及び／又はそれらの信号部材１４（もし適用されていれば）から供給される出力強度を、選択的に制御するため、コマンドを送信することができる。
【００１３】
さらに、中央制御装置２０は、アンテナ２４に接続された無線周波数（ＲＦ）受信機（図示せず）を備えている。この受信機の使用は以下で述べられる。
【００１４】
リモート制御装置３０は、手で持って操作できる装置であってよい。それは、少なくとも１つのセンサ３２を有しており、そのセンサ３２は出力１６，１８に対して適切に向けられたときに、照明機器１０からの前記出力１６，１８を検出するのに適している。
【００１５】
さらに、リモート制御装置３０は、ユーザによって操作することができる手段を備え、これは簡単のためにキー３４として示されている。
【００１６】
また、リモート制御装置３０は、ＲＦ送信機（図示せず）を備えており、これは、リモート制御装置３０により発生されたデータを伝達するＲＦ信号３８を送信可能なように、アンテナ３６に接続されている。このＲＦ信号３８は、アンテナ２４及び中央制御装置２０の受信機により、受信及び処理されるのに適しているものである。
【００１７】
ＲＦ信号３８のためのＲＦリンクの代わりに、異なるタイプの通信又は異なるタイプの通信の組合せを用いてもよい。例えば、リモート制御装置３０が使用される部屋が、その壁の一面又は天井に、リモート制御装置３０からのＲＦ信号３８の代わりに赤外線信号を受信可能である赤外線受信機を有していてもよい。前記赤外線受信機は、中央制御装置２０にワイヤで接続されていてもよい。
【００１８】
ここで、特定の照明機器１０（又は、前記特定の照明機器１０を含む照明機器群）のユーザ制御の場合におけるこの装置の作動が、図２のフローチャートを参照して記載される。
【００１９】
この装置の通常作動状態から（ステップ４０）、ユーザは、リモート制御装置３０を特定の照明機器１０（すなわちユーザが制御したい照明機器１０）に向ける（ステップ４１）。より具体的には、ユーザは、リモート制御装置３０のセンサ３２がこの特定の照明機器からの出力を検出できるように、センサ３２を向ける。この照明機器の特定の構造に応じて、前記出力は、ランプ１２からの出力１６及び／又は信号部材１４からの出力１８である。
【００２０】
引き続いて、ユーザは、リモート制御装置３０のキー３４の１つを操作し（ステップ４２）、これによりリモート制御装置３０はデータを伝達するＲＦ信号３８（すなわち、このデータは、その受信でリモート制御装置３０のユーザが１つ又は他の照明機器１０を制御したいということを示す、選択コマンド）を送信する（ステップ４３）。
【００２１】
中央制御装置２０は、選択コマンドを受信したとき（ステップ４４）、選択シーケンスを開始する。選択シーケンス中、中央制御装置２０は、一時的にすべての照明機器１０の出力１６，１８を変更するように、チャンネル２２を通してそれらにコマンドを送信していく（ステップ４５）。
【００２２】
中央制御装置２０は、この一時的な変更出力コマンドを一度に１つの照明機器１０に、又は、一度に異なる照明機器１０の群に送信する。
【００２３】
照明機器１０は、一時的な変更出力コマンドを受信すると（ステップ４６）、その出力を一時的に変更する（出力無し又は連続出力（１６ａ）から、変調された、あるいは不連続な出力（１６ｂ，１８）に）（ステップ４７）。
【００２４】
リモート制御装置３０は、センサ３２が向けられた照明機器１０からの出力のそのような変更を検出すると（ステップ５０）、ＲＦ信号３８を送信する。（ステップ５１）。ここでは、ＲＦ信号３８は、受信によりリモート制御装置３０がある照明機器１０からの出力の変更を検出したことを示すデータを伝達する（ステップ５１）。
【００２５】
ステップ４２からステップ５１はほとんど同時に起こるので、特定の照明機器に送信された一時的な変更出力コマンドに対する応答は、ユーザがリモート制御装置をこの特定の照明機器１０に向けたことを示す。
【００２６】
したがって、中央制御装置２０は、照明機器出力１６，１８の変更を示すデータを受信したとき（ステップ５２）、変更出力コマンドがまさに送信された照明機器１０を、ユーザが制御したい特定の照明機器１０とみなす（ステップ５３）。
【００２７】
次いで、中央制御装置２０は、選択シーケンスを中止し、次の選択コマンドを受信するまで、リモート制御装置３０からの任意のコマンドを前記特定の照明機器１０を制御するためのコマンド（それに応じて、例えば、点灯又は消灯，調光，パンニング，回転，色の変更をするようなコマンド）として扱うことができる（ステップ５４）。実際、リモート制御装置３０に選択コマンドを送信させたユーザ操作可能なキーは、それ自体が特定の照明機器１０を制御するためのコマンドであってもよい。変形例として、リモート制御装置３０のキーの任意の操作が、中央制御装置２０による選択シーケンスを起動し、その操作されたキーに関連付けられた照明機器制御コマンドを実際に実行する前に、ユーザがリモート制御装置３０を向けた特定の照明機器１０をまず探し又は選択するようにしてもよい。
【００２８】
本発明による装置では、照明機器１０とリモート制御装置３０との間の通信は、リモート制御装置３０へのみである。さらに、中央制御装置２０は、特定の照明機器１０を制御するために、リモート制御装置３０が特定の照明機器１０のアドレスを取得することを必要としていない。その結果、この装置は、照明機器１０を選択的に制御するための高い機能を有するにもかかわらず、比較的低コストで、製造，設置，保持することができる。実際、すべての照明機器１０が個々の本線ケーブルを介して、中央制御装置２０のそれぞれの（電子）駆動回路に接続されていると、この装置は、通信チャンネル２２を通して照明機器１０のアドレス指定をする必要がなくなるが、本発明による方法を依然として適用することができる。
【００２９】
ＬＥＤのような信号部材１４，及び，中央制御装置２０からの変更出力コマンドのみへのそのような信号部材の応答の使用は有利であることに留意すべきである。なぜなら、信号部材１４の出力は、ランプ１２の出力よりも相当に短い立ち上がり時間及び立ち下り時間を有することができるからである。この場合、照明機器１０からの出力の変更は、特定の照明機器１０が配置された部屋内の人を最低限で煩わし、リモート制御装置３０の（選択）キーが操作されたとき、ほとんど瞬時に中央制御装置２０が特定の照明機器１０を検出するように、短時間で選択シーケンスを実行することができる。また、そのシーケンスで異なった照明機器１０の群に向けて変更出力コマンドを送信していくバイナリ方法を適用することにより、より短時間で特定の照明機器１０を中央制御装置２０により検出することができることに留意すべきである。例えば、１０２４個の照明機器１０の装置では、中央制御装置２０は、特定の照明機器を検出するために、変更出力コマンドをたった１０回だけ送信すればよい。
【００３０】
さらに、照明機器１０からの出力の変更は、例えば、ランプ１２及び／又は信号部材１４の点灯／消灯（又は消灯／点灯）の単一イベント又はシーケンスイベントのような、リモート制御装置３０により検出可能なものであればよいことに留意すべきである。
【図面の簡単な説明】
【００３１】
【図１】本発明による照明装置のダイヤグラムである。
【図２】図１に示した装置の照明機器を制御するユーザ作動ステップのフローチャートである。
【符号の説明】
【００３２】
１０  照明機器
１２  ランプ
１４  信号部材
１６，１８  出力
２０  中央制御装置
２２  通信チャンネル
２４  アンテナ
３０  リモート制御装置
３２  センサ
３４  キー
３６  アンテナ
３８  ＲＦ信号
【図１】
2009505346.tif 000003
【図２】
2009505346.tif 000004
【国際調査報告】
2009505346.tif 000005
2009505346.tif 000006
2009505346.tif 000007